(57)【要約】【課題】キャップと軸部とを含み、軸部に支持されるアプリケータを内蔵する細棒状体において、キャップと軸部との汚れの排除ないし減少を可能にする。【解決手段】本発明は、後部セグメント１０及び前部セグメント８を有する軸部４と、軸部４の方を向いた後端１４に開口１６を有するキャップ６とを持った細棒状体２であって、前部セグメント８は前端にアプリケータ１２を支持し、細棒状体２を使用していない状態においては、キャップ６はキャップの開口１６によって軸部４の前部セグメント８上に差し込まれており、キャップ６内には、アプリケータ１２を収容しキャップの軸部４の方を向いた後端２０にアプリケータ１２のための差込口２２を有する収容ケース１８が第１の末端位置Ｅ1と第２の末端位置Ｅ2との間に軸方向に動き得るように導かれており、収容ケース１８は第１の末端位置Ｅ1においては完全にキャップ６内に配置され、第２の末端位置Ｅ2においては収容ケースの後端２０がキャップ６の開口１６から突出部Ａ2でもって突き出るようになっている。【選択図】図１
2014138850.tif 000002
【特許請求の範囲】
【請求項１】
後部セグメント（１０）及び前端にアプリケータ（１２）を支持する前部セグメント（８）を有する軸部（４）と、軸部（４）の方を向いた後端（１４）に開口（１６）を有するキャップ（６）とを持った細棒状体（２）であって、
細棒状体（２）の使用していない状態において、キャップ（６）は、キャップ（６）の開口（１６）によって軸部（４）の前部セグメント（８）上に差し込まれており、
キャップ（６）内には、アプリケータ（１２）を収容しキャップの軸部（４）の方を向いた後端（２０）にアプリケータ（１２）のための差込口（２２）を有する収容ケース（１８）が第１の末端位置（Ｅ1）と第２の末端位置（Ｅ2）との間で軸方向に移動できるように形成されており、
収容ケース（１８）は、第１の末端位置（Ｅ1）において、完全にキャップ（６）内に配置され、第２の末端位置（Ｅ2）において、収容ケースの後端（２０）がキャップ（６）の開口（１６）から突出距離（Ａ2）だけ突出していることを特徴とする細棒状体（２）。
【請求項２】
収容ケース（１８）と軸部（４）との間の着脱運動が、キャップ（６）が軸部（４）から取り外される際、収容ケース（１８）は、その第１の末端位置（Ｅ1）から引出し方向へ出発し、その第２の末端位置（Ｅ2）へ動かされるようになっていることを特徴とする請求項１記載の細棒状体（２）。
【請求項３】
着脱運動のために、収容ケース（１８）は、軸部（４）の縦セグメント（５４）に摩擦係止的及び形状係止的の少なくとも一方で差し込まれている請求項２記載の細棒状体（２）。
【請求項４】
縦セグメント（５４）に、放射状外側に突き出すとともに軸方向に延びるリブ（４４）が形成されたことを特徴とする請求項３記載の細棒状体（２）。
【請求項５】
縦セグメント（５４）は、その後端において、後端の周囲面（４２）から張り出し後端の全周囲にわたって且つ放射面内に延びる止め面（４０）によって囲まれており、
この止め面に収容ケース（１８）の後部正面（３８）が接触することを特徴とする請求項１から４のいずれか１項に記載の細棒状体（２）。
【請求項６】
収容ケース（１８）は、第１の末端位置（Ｅ1）において、キャップ（６）の開口（１６）に対して軸方向距離（Ａ1）だけ後方に、端部が配置されていることを特徴とする請求項１から５のいずれか１項に記載の細棒状体（２）。
【請求項７】
収容ケース（１８）の後端（２０）の突出部（Ａ2）を形成する少なくとも１つの縦セグメント（３２）は、放射方向において、キャップ（６）の開口（１６）からわきへ延びるキャップ（６）の縦セグメント内において接触することなく軸方向に動くように形成されていることを特徴とする請求項１から６のいずれか１項に記載の細棒状体（２）。
【請求項８】
収容ケース（１８）は、アプリケータ（１２）を収容する内部空間前部領域（４８）と内部空間後部領域（５０）とを持った内部空間（４６）を有し、
両内部空間領域の間に狭小部位（５２）が形成されており、
その内のり幅（ＩE）は、アプリケータ（１２）の放射方向における外寸法（ＡA）より小さいことを特徴とする請求項１から７のいずれか１項に記載の細棒状体（２）。
【請求項９】
第２の末端位置（Ｅ2）において、収容ケース（１８）の周囲面（５６）から放射状外方に向けて突き出した止め部（５８）がキャップ（６）の対応止め部（６０）と共働することを特徴とする請求項１から８のいずれか１項に記載の細棒状体（２）。
【請求項１０】
第２の末端位置（Ｅ2）において、収容ケース（１８）は締付力によってキャップ（６）内に保持され、
その締付力は、アプリケータ（１２）を収容ケース（１８）内へ差し込む際に必要な力より大きいことを特徴とする請求項１から９のいずれか１項に記載の細棒状体（２）。
【請求項１１】
軸部（４）内に塗布媒体のためのタンク（６２）が形成されており、
このタンクは前部セグメント（８）を貫通して延びる連絡導路（６４）を介してアプリケータ（１２）と連結されていることを特徴とする請求項１から１０のいずれか１項に記載の細棒状体（２）。
【請求項１２】
前部セグメント（８）は、アプリケータ（１２）の領域に連絡導路（６４）と結合された放射状導路（６６）を有することを特徴とする請求項１から１１のいずれか１項に記載の細棒状体（２）。
【発明の詳細な説明】
【技術分野】
【０００１】
本発明は、後部セグメント及び前部セグメントを含む軸部を有し、前部セグメントの前端にアプリケータ（化粧品、薬、塗料等の塗布具）が配置されている細棒状体に関する。さらに細棒状体は軸部の前部セグメント上に差し込むためのキャップを含む。軸部内には、塗布媒体例えば化粧用調製剤のための、アプリケータと流体的に結ばれたタンクが存在し、その化粧用調製剤はアプリケータを用いて皮膚上またはその他の基礎になるものの上にも塗布される。その際アプリケータは使用に応じて、例えば化粧用細棒状体の場合には小ブラシ、小スポンジ等として形成され得る。
【背景技術】
【０００２】
ここで問題になっている種類の細棒状体においては、使用後アプリケータにしばしばなおかなり多量の塗布媒体が存在する。細棒状体の使用後に軸部の前部セグメント上にキャップをはめる際に、又は使用前に軸部をキャップから取り出す際に、アプリケータはキャップと接触しやすく、その結果特に、キャップの開口の周りを囲む後部領域及び汚れたキャップが差し込まれる軸部の前部セグメントが目に見えて汚される。
【発明の概要】
【発明が解決しようとする課題】
【０００３】
本発明の課題は、キャップ及び軸部の汚れるのが排除される、又は少なくとも減少される細棒状体を提供することにある。
【課題を解決するための手段】
【０００４】
この課題は請求項１の特徴を持った細棒状体によって解決される。細棒状体は、後部セグメント及び前端にアプリケータを支持する前部セグメントを有する軸部と、軸部の方を向いた後端に開口を有するキャップとを含み、細棒状体を使用していない状態においてはキャップは開口によって軸部の前部セグメント上に差し込まれている。キャップ内には、アプリケータを収容しキャップの軸部の方を向いた後端にアプリケータのための差込み口を有する収容ケースが第１の末端位置と第２の末端位置との間に軸方向に動き得るように導かれている。その際収容ケースは第１の末端位置においては完全にキャップ内に配置され、第２の末端位置においては収容ケースの後端がキャップの開口から突出部でもって突き出ている。
【０００５】
本発明はとりわけ、アプリケータはキャップないしキャップの軸部の方を向いた後端と接触せず、ただキャップ内に配置された収容ケースと接触するのみであるという利点を提供する。それによって、キャップにおける汚れ、特に差込領域における汚れが信頼性をもって防止される。
【０００６】
収容ケースをその第２の末端位置へ送るためには、キャップ内に利用者によって操作可能なばね機構を備えることが考えられるが、このことは高い製造費と結びつくことになろう。しかし特に好ましい実施変形においては、収容ケースと軸部との間に連結運動が存在し、それはキャップが軸部から取り除かれる際、収容ケースはその第１の末端位置から出発してその第２の末端位置への引出し方向へ、ほとんど自動的に、したがって利用者の側からの必要な措置なしに動かされるように形成されている。連結運動のために、収容ケースは軸部の縦セグメント上に差し込まれており、その際軸方向の相互の固定は、それぞれ解除可能な、形状係止結合及び摩擦係止結合の少なくともいずれかによって行われる。
【０００７】
使用していない状態においては、キャップは軸部の前部セグメント上に差し込まれており、収容ケースは第１の末端位置にあり、したがって完全にキャップ内にある。細棒状体を利用するためには軸部はキャップから引き出され、収容ケースはいま問題になっている軸方向の連結運動に基づいて第２の末端位置へ移動し、その結果後端はキャップの開口から突き出る。言い換えれば、収容ケースの引出し方向への引出し運動が行われる。引出し方向と軸部の後部セグメントの方向にとは、以下で同義語として用いられる。軸部ないしそのアプリケータを支え使用していない状態では収容ケース内に置かれている前部セグメントは、第２の末端位置に達した後さらに引出し方向へ、そして収容ケースから外へと動かされる。キャップが軸部の前部セグメント上へ差し込まれる場合には、逆の動きとして先ずアプリケータが配置されている前部セグメントの少なくとも前端が収容ケース内へ挿入され、一方この収容ケースは第２の末端位置にあり、そして次いで収容ケースは第２の末端位置から第１の末端位置へ戻るように動く。言い換えれば、収容ケースの引込み方向への、したがって軸部の前部セグメントの方向への引込み運動が行われる。
【０００８】
さらに上に述べたように、収容ケースは軸部の前部セグメントの縦セグメント上に差し込まれている。好ましい実施形態においては、収容ケースはこの場合全広範囲にわたって縦セグメントに隣接しているのではなく、放射状に外に向けて張り出し軸方向に延びるリブに隣接する。一方ではこの際、収容ケースに内側で隣接するリブの表面領域のみが塗布媒体で汚されるのみで、収容ケースを保持する縦セグメントの全周囲面は汚されない。製造技術的見地から、問題になっている実施形態は、収容ケースと軸部との間の十分な結合強度を顧慮して守るべき許容差が、相互の全広範囲にわたって円柱面の構成の場合に該当するより臨界性がゆるいという利点を持つ。放射方向に異なる寸法を有するリブの場合には、収容ケースは例えば長円形をとることによってこのことを補償することができる。
【０００９】
収容ケースがその上に差し込まれているないし差込み可能な縦セグメントは、その後端において、後端の周囲面から張り出し後端の全周囲にわたって且つ放射面内に延びる止め面によって囲まれており、この止め面に収容ケースの後部正面が隣接する。止め面はこの際収容ケースに対する終端ストッパとして役立つのみならず、収容ケースの内部空間を周囲の環境から密閉する。それによって塗布媒体が外に達し例えば軸部を汚す可能性が防止される。さらに、タンク内に含まれる塗布媒体の揮発性成分が大気中へ漏れ出ることが防止される。
【００１０】
収容ケースが第１の末端位置においてキャップの開口の前で軸方向距離を置いて終わるとさらに有利である。つまり使用していない状態においては、軸部の方を向いたないしはキャップの開口からわきへ延びるキャップの縦セグメント内には収容ケースは存在しないので、キャップに差し込まれた軸部の前部セグメントはこの縦セグメントにおいて少なくとも部分的にキャップの内面と接触している。したがって軸部の前部セグメントにそしてキャップの縦セグメント内にある固定要素又は締付要素を介して、軸部は使用していない状態においてはキャップ内に確実に保持され、ずり出しに対し守られ、キャップの内部空間は周囲の環境に対し漏れがないように密封されることが可能になる。この場合固定要素又は締付要素は、例えば前部セグメントに存在する突出部及びキャップの内面に存在する対応突出部によって、又はねじによっても実現することができる。
【００１１】
好ましい実施形態においては、収容ケースの後端の突出部を形成する少なくとも１つの縦セグメントは放射方向において、開口からわきへ延びるキャップの縦セグメント内において接触することなく軸方向に動くように調節されている。言い換えれば、キャップの後部縦セグメントは例えば内側円錐を有し、その内のり幅は収容ケースの後部セグメントの外のり幅より大きい。それによって、第１の末端位置においても第２の末端位置においても、少なくとも収容ケースの突出部を形成する縦セグメントとキャップの後部縦セグメントとの間に環状空間が存在し、この空間は収容ケースを例えば完全に取り巻く。場合によって、アプリケータを収容ケースに差し込む際に、使用時使い果たされずかき落とされた塗布媒体が収容ケースの第２の末端位置から第１の末端位置への引込み運動の際この環状空間へ「退避する」ことができ、キャップの差込領域は清潔なままである。
【００１２】
第１の末端位置において収容ケースは軸方向に完全にリブ上に差し込まれ、それによって形状係止結合及び摩擦係止結合の少なくともいずれかの形の連結運動が収容ケースとリブとの間に生じる。言い換えれば、収容ケースは軸部上にしっかりと留められている。軸部をキャップから引き出す、したがって引出し運動の際には、この締付作用は初めのうちはそのまま変わらず続き、その結果収容ケースは第２の末端位置へ動かされる。第２の末端位置へ達すると、形状係止結合ないし摩擦係止結合は解かれ、締付作用はしたがって克服され、収容ケースはリブから下へ滑らかに作動し、軸部の前部セグメントは完全に収容ケース及びキャップから取り出されることが可能となる。キャップを差し込む際は、したがって引込み運動の際には、アプリケータはまず収容ケースへ挿入され、この収容ケースは少なくともリブの円錐形部分を越えて押され、引込み方向へ第１の末端位置へ戻り運動が行われる。第１の末端位置に達すると、収容ケースは再び完全にリブ上へ差し込まれ、それによってリブ上にしたがって軸部の前部セグメント上にしっかりと留められる。したがって収容ケースと軸部との間の連結運動は次の利用のために再び作り出されている。
【００１３】
収容ケースは、アプリケータを収容する内部空間前部領域と内部空間後部領域とを持った内部空間を有する。好ましい実施形態においては、内部空間前部領域と内部空間後部領域との間に狭小部位が存在し、その内のり幅はアプリケータの放射方向における外寸法より少ない。使用していない状態においては、狭小部位は引出し方向においてアプリケータの後方にあり、したがってアプリケータと収容ケースの差込口との間にある。そのような実施形態によって、化粧用細棒状体の場合例えば小ブラシとして形成されているアプリケータは、収容ケースから引き出す際に狭小部位を通過しなければならないので、過剰の塗布媒体がアプリケータからかき落とされることが達成される。過剰の塗布媒体はしたがって収容ケースの内部空間前部領域にとどまり、差込領域を汚すようなことにはならない。
【００１４】
有利な実施形態においては、収容ケースの第２の末端位置において収容ケースの周囲面から放射状に外方に向けて突き出した止め部がキャップの対応止め部と共働する。そのため例えば収容ケースの前部セグメントは狭小部位の領域におけるキャップの縦セグメントの内のり幅より大きい外側寸法を有することができる。対応止め部は例えばキャップの内側から放射状に突き出すリブによっても形成することができる。それ故に収容ケースの前部セグメントは第２の末端位置においてキャップ内に保持される。
【００１５】
好ましい実施形態においては、収容ケースは加えて第２の末端位置において締付力によってキャップ内に保持され、その締付力はアプリケータを収容ケース内へ差し込む際に乗り越えるべき力より大きい。この乗り越えるべき力とは、一方では狭小部位を通過するために必要な力であり、他方では収容ケースと軸部との間に結合を作るために必要な力と解されるべきものである。そのような放射状に効果のある締付力は、例えば、収容ケースの内部空間後部領域を取りまく収容ケースの後部セグメントとキャップとの間に作用し、収容ケースの後部セグメントの外表面へ向け放射状に広げられた領域によって、又は収容ケースの後部セグメントの外表面上に存在しキャップの内面により締め付けられる突出部によって達成され得る。引込み運動の際には、収容ケースは初めのうちは第２の末端位置にあり、締付力によって先ず第２の末端位置に保持され、その結果アプリケータは収容ケース内へ挿入される。アプリケータの狭小部位との摩擦係止ないし相互作用が十分に大きい場合には、この締付力は乗り越えられる。収容ケースはしたがって挿入過程の初めには動かず、その結果アプリケータは先ず収容ケース内へ完全に挿入され、それ故キャップの汚れが発生することはあり得ない。
【００１６】
収容ケースの内部空間後部領域はとりわけ収容ケースの挿入口の方向へ拡大している。言い換えれば、内部空間後部領域は挿入口において最大の内のり幅を、そして狭小部位において最小の内のり幅を有する。収容ケースがそのように円錐形状に狭まっていることによって、アプリケータはより容易に目標へのねらいを正確に収容ケース内へ挿入することができ、いわば自動的に収容ケースの内面との強い相互作用なく収容ケースの後部セグメント内に導かれる。既に上に述べたように、初めのうちは収容ケースの動きは起きない。アプリケータが収容ケースの狭小部位を通過すると初めて、収容ケースとの相互作用が十分に大きく、締付力は乗り越えられ、収容ケースは第１の末端位置へ動かされ、リブ上に押し上げられ、その後部正面でもって止め部に対し押し付けられる。
【００１７】
細棒状体の軸部内には特に塗布媒体のためのタンクが存在しており、このタンクは前部セグメントを貫通して延びる連絡導路を介してアプリケータとつながっている。前部セグメントが例えば棒状に形成されており、アプリケータ、例えば塗布媒体を塗布するために用いられる小ブラシ、がその前端に配置されている場合には、連絡導路は例えばタンクからアプリケータにまで延びる内部孔によって実現することができる。
【００１８】
その場合、軸部の前部セグメントがアプリケータの領域に、したがってその前端に、その外側上を通じる放射状導路を有し、その放射状導路が連絡導路と結合され、放射状導路を介して塗布媒体がアプリケータへさらに移送され得るようになっていると有利である。
【００１９】
本発明をさらに説明するため、図の実施例が参照される。それぞれ模式図として示されている。
【図面の簡単な説明】
【００２０】
【図１】軸部と軸部の前部セグメント上に差し込まれたキャップを持った使用していない状態での細棒状体の部分断面図。
【図２】キャップ内に配置された収容ケースと軸部の前部セグメントとの間の使用していない状態での締付固定の詳細部分図。
【図３】キャップ内に配置され第１の末端位置にある収容ケースを持ったキャップ。
【図４】軸部の前部セグメントが部分的にキャップから突き出し、収容ケースが第２の末端位置にある状態の細棒状体の部分断面図。
【図５】キャップ内に配置され第２の末端位置にある収容ケースを持ったキャップ。
【図６】透視図で示す軸部の前部セグメントの部分図。
【発明を実施するための形態】
【００２１】
図１は軸部４とキャップ６とを持った細棒状体２を示す。そのような軸部４は前部セグメント８及び後部セグメント１０を有する。前部セグメント８の前端において軸部４はアプリケータ１２を支持する。キャップ６はその軸部４の方を向いた後端１４に開口１６を有する。図１に示される細棒状体２は使用していない状態にあり、その結果キャップ６は開口１６により軸部４の前部セグメント８上に差し込まれている。
【００２２】
キャップ６内には、アプリケータ１２を収容するための収容ケース１８が存在する。そのため収容ケース１８はその軸部４の方を向いた後端２０に差込口２２を含む。本発明によれば、収容ケースは第１の末端位置Ｅ1と第２の末端位置Ｅ2との間で軸方向に動くように導かれている。図１（キャップと軸部とを伴った細棒状体）及び図３（キャップを伴い軸部は伴わない）において、収容ケース１８は第１の末端位置Ｅ1にあり、完全にキャップ６内に配置されている。第２の末端位置においては（これは図４（キャップと軸部とを伴った細棒状体）及び図５（キャップを伴い軸部は伴わない細棒状体）に示されている）、収容ケース１８の後端２０は突出寸法Ａ2だけキャップ６の開口１６から突き出ている。
【００２３】
収容ケース１８及び軸部４は、キャップ６が軸部４から取り除かれたとき収容ケース１８は第１の末端位置Ｅ1から出発して第２の末端位置Ｅ2へ動かされるように連結されている。このことは、収容ケース１８が前部セグメント８の縦セグメント５４上へ差し込まれていることによって収容ケース１８と軸部４との間の摩擦係止結合により達成される。
【００２４】
図２によれば、収容ケース１８の後部正面３８が軸部４の前部セグメント８において放射状に延びる止め部４０に隣接しており、この止め部は前部セグメント８を完全に取り巻いている。軸部４の前部セグメント８はさらに、軸方向に延び前部セグメント８の外面４２から放射状に突出したリブ４４を有する。リブ４４は止め部４０の前の領域内に存在し、それから長手方向に前部セグメント８の前端の方向へ、したがってアプリケータ１２の方向へ延びている。リブ４４はその場合少なくとも部分的に縦セグメント５４内に配置されている。さらにリブ４４は、前部セグメント８の外面４２から止め部４０より少なく突き出ている。止め部の方を向いた領域４４ａにおいて、リブ４４は先ず軸部の外面４２に少なくともほぼ平行に形成されている。そこから前部セグメント８の前端の方向へと延びるリブ４４の領域４４ｂは、収容ケース１８の差し込みを容易にする乗り上げ斜面として形成されている。
【００２５】
図１及び図２によれば、収容ケース１８の後部正面３８は第１の末端位置Ｅ1において止め部４０に平面で隣接し、完全にリブ４４上に差し込まれ、その結果収容ケース１８と軸部４との間の摩擦係止結合が与えられる。この摩擦係止結合、例えば締付固定作用は、収容ケース１８が第２の末端位置Ｅ2へ動くまで存続する（図４参照）。
【００２６】
第１の末端位置Ｅ1（図１お及び図３）において、収容ケース１８はキャップ６の開口１６の前方で軸方向間隔Ａ1でもって終わる。それによって、キャップ６の開口１６からわきへ延びるキャップ６の縦セグメント２４内には収容ケース１８は存在せず、軸部４の前部セグメント８はこの後部縦セグメント２４において少なくとも部分的に直接キャップ６の内面２６に隣接する。内面２６には縦セグメント２４の領域に固定要素及び締付要素２８の少なくともいずれか、例えば内面を取り巻く溝が存在し、そして軸部４の前部セグメント８には図６に示されるように例えば前部セグメント８の周囲面から突き出した突出部として形成された固定要素及び締付要素３０の少なくともいずれかが存在する。固定要素及び締付要素の少なくともいずれか２８、３０を使用することにより、軸部４は使用していない状態において紛失の恐れなくかつ分離可能にキャップ６内に固定される。
【００２７】
図４及び図５によれば、（少なくとも）収容ケース１８の後端２０の突出部Ａ2を形成する縦セグメント３２は、後端２０がキャップの開口１６からわきへ延びる縦セグメント２４においてキャップ内で接触することなく軸方向に動き得るように定められている。第１の末端位置Ｅ1（図３）においても第２の末端位置Ｅ2（図５）においても、この構成形態によって環状空間３４が収容ケース１８とキャップ６との間に形成される。このため、例えば第２の末端位置Ｅ2において後部縦セグメント２４は内側円錐を有し、その内のり幅ＩKは収容ケースの後部セグメント３６の外寸法ＡHより大きい。
【００２８】
収容ケース１８は内部空間４６を取り囲み、この内部空間はアプリケータ１２を収容する内部空間前部領域４８と内部区間後部領域５０とを有し、その際内部空間前部領域４８は収容ケース前部セグメント６８によって、また内部空間後部領域５０は収容ケース後部セグメント３６によって囲まれる。内部空間前部領域４８と内部空間後部領域５０との間には狭小部位５２が存在し、その放射方向における内のり幅ＩEはアプリケータ１２の外寸法ＡAより小さい。狭小部位は収容ケース前部セグメント６８から収容ケース後部セグメント３６への移行部によって形成される。使用していない状態においては、アプリケータ１２は図１によれば内部空間前部領域４８内に配置されており、狭小部位５２はアプリケータ１２と差込口２２との間にある。アプリケータ１２はその際完全に内部空間前部領域４８内に配置されている。引込み運動の際の収容ケース１８へのアプリケータ１２の挿入を容易にするため、内部空間後部領域５０は差込口２２の方向へ広げられている。引出し運動の際も引込み運動の際も、アプリケータ１２は狭小部位５２を通過しなければならないので、過剰の塗布媒体はかき落とされる。
【００２９】
第２の末端位置Ｅ2においては、図４及び図５によれば、収容ケース１８の周囲面５６から放射状外方へ突き出ている止め部５８がキャップ６の内面２６にある対応止め部６０と共働する。止め部５８は放射状に広げられた収容ケース前部セグメント６８によって、対応止め部６０はキャップ６の内面２６に存在するリブ７２によって形成されている。
【００３０】
第２の末端位置Ｅ2において、収容ケース１８はキャップ６に締付力によって保持される。すなわち収容ケース１８とキャップ６の内面２６との間に放射状に効力を生じる締付力が作用する。そのため、収容ケース後部セグメント３６は例えば放射状に広げられた領域７４を有し、この領域は内面２６によって締め付けられ、収容ケース１８は引込み運動の際先ず第２の末端位置Ｅ2に保持される。
【００３１】
キャップ６の前端７６においてキャップ６は栓７８によって密封されている。同じように、収容ケース１８は収容ケース１８を前側で密封する栓８２を有する。第１の末端位置Ｅ1において、栓８２は栓７８の正面８０に隣接している。栓７８ないしその正面８０はしたがって収容ケース１８のための止め部を形成し、この止め部は第１の末端位置Ｅ1を確定する。
【００３２】
軸４内には塗布媒体、例えばインク又は化粧用液のためのタンク６２があり、タンクは前部セグメント８を通して延びる連絡導路６４を介してアプリケータ１２とつながっている。連絡導路６４は例えば前部セグメント８内を延びる内部孔であり、タンク６２をアプリケータ１２と結ぶ。そのため前部セグメント８はアプリケータ１２の領域に放射状導路６６を有し、この導路は塗布媒体をアプリケータ１２に運ぶため連絡導路６４と結ばれている。
【符号の説明】
【００３３】
２  細棒状体
４  軸部
６  キャップ
８  軸部の前部セグメント
１０  軸部の後部セグメント
１２  アプリケータ
１４  キャップの後端
１６  キャップの開口
１８  収容ケース
２０  収容ケースの後端
２２  収容ケースの差込口
２４  キャップの縦セグメント
２６  キャップの内面
２８  固定要素及び締付要素
３０  固定要素及び締付要素
３２  収容ケースの縦セグメント
３４  環状区間
３６  収容ケース後部セグメント
３８  収容ケースの後部正面
４０  止め部（止め面）
４２  前部セグメントの外面
４４  リブ
４４ａ  リブの領域
４４ｂ  リブの領域
４６  内部空間
４８  内部空間前部領域
５０  内部空間後部領域
５２  狭小部位
５４  前部セグメントの縦セグメント
５６  収容ケースの周囲面
５８  止め部
６０  対応止め部
６２  タンク
６４  連絡導路
６６  放射状導路
６８  収容ケース前部セグメント
７２  リブ
７４  収容ケース後部セグメントの広げられた領域
７６  キャップの前端
７８  栓
８０  栓の正面
８２  栓
Ｅ1  第１の末端位置
Ｅ2  第２の末端位置
【図１】
2014138850.tif 000003
【図２】
2014138850.tif 000004
【図３】
2014138850.tif 000005
【図４】
2014138850.tif 000006
【図５】
2014138850.tif 000007
【図６】
2014138850.tif 000008